(57)【要約】【課題】両面粘着テープや接着剤を用いずに敷居溝に取り付けることができ、音鳴りも改善できる敷居レールを提供すること。【解決手段】敷居レール１０は、レール部２０と、軟質樹脂製の第１ヒレ部３０とを備える。レール部２０は、敷居溝２の底面３に沿って配置される底面部２１と、底面部２１の幅方向の一方の端部である第１端部から上側に突設された第１側面部２３と、底面部２１の幅方向の他方の端部である第２端部から上側に突設された第２側面部２４とを備える。第１側面部２３の外側面には第１突起部２７が形成される。第１ヒレ部３０は、底面部２１の第１端部２１Ａに固定される第１固定部３１と、第１固定部３１から延出され、第１突起部２７と、敷居溝２の第１側面４とで挟み込まれる第１延出部３２とを備える。【選択図】図２
2020180514.tif 000002
【特許請求の範囲】
【請求項１】
敷居溝に取り付けられる敷居レールであって、
レール部と、軟質樹脂製の第１ヒレ部とを備え、
前記レール部は、
前記敷居溝の底面に沿って配置される底面部と、
前記底面部の幅方向の一方の端部である第１端部から上側に突設された第１側面部と、
前記底面部の幅方向の他方の端部である第２端部から上側に突設された第２側面部とを備え、
前記第１側面部の外側面には第１突起部が形成され、
前記第１ヒレ部は、
前記底面部の前記第１端部に固定される第１固定部と、
前記第１固定部から延出され、前記第１突起部と、前記敷居溝の側面とで挟み込まれる第１延出部とを備える
ことを特徴とする敷居レール。
【請求項２】
請求項１に記載の敷居レールにおいて、
軟質樹脂製の第２ヒレ部を備え、
前記第２側面部の外側面には第２突起部が形成され、
前記第２ヒレ部は、
前記底面部の前記第２端部に固定される第２固定部と、
前記第２固定部から延出され、前記第２突起部と、前記敷居溝の側面とで挟み込まれる第２延出部とを備える
ことを特徴とする敷居レール。
【請求項３】
請求項１に記載の敷居レールにおいて、
前記第１突起部は、
前記第１側面部の外側面に対して斜め上方に傾斜された第１傾斜面と、
前記第１傾斜面の上端縁と前記第１側面部の外側面とを連結する第１連結面とを備え、
前記第１傾斜面は前記外側面に対して鋭角の角度で設けられ、
前記第１連結面は前記外側面に対して直角または鈍角の角度で設けられている
ことを特徴とする敷居レール。
【請求項４】
請求項１から請求項３のいずれか一項に記載の敷居レールにおいて、
前記レール部は、
前記第１側面部の上端部から外方に突設された第１フランジ部と、
前記第２側面部の上端部から外方に突設された第２フランジ部と、
を備えることを特徴とする敷居レール。
【発明の詳細な説明】
【技術分野】
【０００１】
本発明は、襖や障子を案内する敷居に設けられる敷居レールに関する。
【背景技術】
【０００２】
和室などに設けられる引戸や襖を案内する敷居溝に取り付けられる硬質樹脂製の戸滑り板（敷居レール）が知られている（例えば、特許文献１参照）。この戸滑り板は、戸滑り板の裏面と敷居溝との間に、両面粘着テープや接着剤を設けることで、敷居溝に接着している。
【先行技術文献】
【特許文献】
【０００３】
【特許文献１】実開昭６０−２６５７５号公報
【発明の概要】
【発明が解決しようとする課題】
【０００４】
戸滑り板を両面粘着テープや接着剤で敷居溝に接着するため、異物の混入、敷居溝の寸法精度や施工精度のバラツキなどによって接着面に隙間が発生すると、引戸や襖の走行時に両面粘着テープや接着剤が一旦密着し、再度剥がれるときに音鳴りが発生していた。
本発明の目的は、両面粘着テープや接着剤を用いずに敷居溝に取り付けることができ、音鳴りも改善できる敷居レールを提供することにある。
【課題を解決するための手段】
【０００５】
本発明の敷居レールは、敷居溝に取り付けられる敷居レールであって、レール部と、軟質樹脂製の第１ヒレ部とを備え、前記レール部は、前記敷居溝の底面に沿って配置される底面部と、前記底面部の幅方向の一方の端部である第１端部から上側に突設された第１側面部と、前記底面部の幅方向の他方の端部である第２端部から上側に突設された第２側面部とを備え、前記第１側面部の外側面には第１突起部が形成され、前記第１ヒレ部は、前記底面部の前記第１端部に固定される第１固定部と、前記第１固定部から延出され、前記第１突起部と、前記敷居溝の側面とで挟み込まれる第１延出部とを備えることを特徴とする。
【発明の効果】
【０００６】
本発明によれば、敷居レールを、底面部、第１側面部、第２側面部を備えるレール部と、軟質樹脂製の第１ヒレ部とを備えて構成し、前記第１側面部の外側面に第１突起部を形成し、第１突起部と、敷居溝の側面とで前記第１ヒレ部の第１延出部を挟み込んでいるため、第１ヒレ部の第１延出部に前記第１突起部が食い込み、敷居レールの移動や浮き上がりを防止できる。このため、両面粘着テープや接着剤を用いて敷居レールを固定する必要が無くなり、両面粘着テープや接着剤による音鳴りの発生も防止できる。
【図面の簡単な説明】
【０００７】
【図１】第１実施形態の敷居レールを示す断面図である。
【図２】第１実施形態の敷居レールを示す断面図である。
【図３】第１実施形態の敷居レールを示す断面図である。
【図４】第２実施形態の敷居レールを示す断面図である。
【図５】第１変形例の敷居レールを示す断面図である。
【図６】第２変形例の敷居レールを示す断面図である。
【図７】第３変形例の敷居レールを示す断面図である。
【図８】第４変形例の敷居レールを示す断面図である。
【発明を実施するための形態】
【０００８】
以下、本発明の実施形態を図面に基づいて説明する。
本実施形態の敷居レール１０は、図１に示すように敷居１に形成された敷居溝２に装着され、引戸６の移動時の滑りを良くするために用いられる。
敷居溝２は、図２に示すように、底面３、第１側面４、第２側面５を備えて凹溝状に形成されている。敷居溝２は、敷居１の長手方向、つまり図２の紙面直交方向に連続して形成されている。
引戸６は、戸車を有するものでもよいし、戸車を有しないものでもよい。また、引戸６は、襖、障子、雨戸等の敷居溝２で案内される建具を総称するものである。
【０００９】
敷居レール１０は、レール部２０と、軟質樹脂製の第１ヒレ部３０および第２ヒレ部４０と、軟質樹脂製のスペーサ５０とを備え、敷居溝２の長手方向に沿って延長された長尺のレールである。
レール部２０は、第１ヒレ部３０、第２ヒレ部４０よりも硬質な材料、例えば硬質樹脂材や金属材等とされ、敷居溝２の底面３に沿って配置される長尺板状の底面部２１と、底面部２１の幅方向の一方の端部である第１端部２１Ａから上側に突設された第１側面部２３と、底面部２１の幅方向の他方の端部である第２端部２１Ｂから上側に突設された第２側面部２４と、第１側面部２３の上端から外方に突設された第１フランジ部２５と、第２側面部２４の上端から外方に突設された第２フランジ部２６とを備える。
ここで、底面部２１の幅方向とは、図２のＸ軸方向であり、敷居１の長手方向に直交する方向である。また、図２において、第２側面５から第１側面４に向かう方向をＸ１方向とし、第１側面４から第２側面５に向かう方向をＸ２方向とする。このため、第１フランジ部２５は、第１側面部２３の上端からＸ１方向に突設され、第２フランジ部２６は、第２側面部２４の上端からＸ２方向に突設されている。
【００１０】
第１側面部２３の外側面つまり第１側面４に対向する面には、第１突起部２７が形成されている。第１突起部２７は、上下２箇所に設けられ、それぞれレール部２０の長手方向に沿って連続して形成されている。
第２側面部２４の外側面つまり第２側面５に対向する面には、第２突起部２８が形成されている。第２突起部２８は、第１突起部２７と同様に、上下２箇所に設けられ、それぞれレール部２０の長手方向に沿って連続して形成されている。
【００１１】
第１ヒレ部３０は、底面部２１の第１端部２１Ａに固定される第１固定部３１と、第１固定部３１から延出された第１延出部３２とを備える。
第２ヒレ部４０は、底面部２１の第２端部２１Ｂに固定される第２固定部４１と、第２固定部４１から延出された第２延出部４２とを備える。
第１延出部３２および第２延出部４２は、それぞれ第１固定部３１、第２固定部４１から斜め上方に向かって延出されている。そして、敷居レール１０を敷居溝２内に取り付けた場合、図３に示すように、第１延出部３２は、第１側面部２３および第１突起部２７と第１側面４との間に挟み込まれ、第２延出部４２は、第２側面部２４および第２突起部２８と第２側面５との間に挟み込まれる。
【００１２】
スペーサ５０は、第１ヒレ部３０、第２ヒレ部４０と同じ軟質樹脂で構成され、底面部２１に固定される。
なお、第１固定部３１、第２固定部４１、スペーサ５０は、底面部２１に対して両面粘着テープや接着剤で固定してもよいし、レール部２０と、第１ヒレ部３０、第２ヒレ部４０、スペーサ５０とは二色成形で一体に製造してもよい。
また、スペーサ５０は、必ずしも設けなくても良い。後述する第２実施形態および第２〜４変形例においても、スペーサ５０は必ずしも設けなくてもよい。
【００１３】
図２、図３に示すように、第１延出部３２、第２延出部４２の厚さ寸法をｔ１、第１側面４、第２側面５と第１側面部２３、第２側面部２４の外側面との間隔をｔ２、第１側面４、第２側面５と第１突起部２７、第２突起部２８との間隔をｔ３とすると、ｔ１＞ｔ３、ｔ２＞ｔ３である。なお、ｔ１は、ｔ２以上でもよいし、ｔ２未満でもよく、これらはレール部２０や敷居溝２の寸法精度等で決められるものである。
【００１４】
このような構成の敷居レール１０は、敷居１の敷居溝２に対して上方から押し込んで装着する。すなわち、敷居レール１０を敷居溝２に押し込むと、第１延出部３２、第２延出部４２は、第１側面４、第２側面５と敷居１上面との角部に当接し、内側つまり第１突起部２７、第２突起部２８に近づく方向に折れ曲がる。
そして、敷居溝２内への敷居レール１０の押し込みが完了すると、図３に示すように、第１延出部３２は、第１側面部２３および第１突起部２７と第１側面４との間に挟み込まれ、第２延出部４２は、第２側面部２４および第２突起部２８と第２側面５との間に挟み込まれる。
この際、ｔ１＞ｔ３、ｔ２＞ｔ３であるため、第１延出部３２、第２延出部４２は、第１側面４、第２側面５と第１突起部２７、第２突起部２８との間で圧縮される。このため、第１突起部２７、第２突起部２８が第１延出部３２、第２延出部４２に食い込む状態となり、２条の第１突起部２７、第２突起部２８の間や、第１突起部２７、第２突起部２８の下側、上側に第１延出部３２、第２延出部４２が充填された状態となる。
したがって、敷居レール１０は、敷居溝２に対して移動や浮き上がりが防止され、両面粘着テープや接着剤を用いずに敷居溝２に固定できる。
【００１５】
また、底面部２１の幅方向の中央部にはスペーサ５０が固定されている。スペーサ５０は、第１固定部３１、第２固定部４１が介在されることで敷居溝２の底面３と、底面部２１との間に生じる隙間を埋めるために用いられ、レール部２０の底面部２１が撓むことを防止する。
【００１６】
このような本実施形態によれば、次のような効果がある。
敷居レール１０は、レール部２０および軟質樹脂製の第１ヒレ部３０、第２ヒレ部４０を備え、レール部２０の第１側面部２３、第２側面部２４の外側面に第１突起部２７、第２突起部２８を形成し、第１側面部２３および第１突起部２７と、敷居溝２の第１側面４とで第１ヒレ部３０の第１延出部３２を挟み込み、第２側面部２４および第２突起部２８と、敷居溝２の第２側面５とで第２ヒレ部４０の第２延出部４２を挟み込んでいるので、第１突起部２７、第２突起部２８を第１延出部３２、第２延出部４２に食い込ますことができ、敷居レール１０の移動や浮き上がりを防止できる。このため、両面粘着テープや接着剤を用いて敷居レール１０を固定する必要が無くなり、両面粘着テープや接着剤による音鳴りの発生も防止できる。
また、敷居溝２とレール部２０との間に、第１ヒレ部３０や第２ヒレ部４０が介在されているので、引戸６の走行時の走行音や振動を低減できる。
さらに、両面粘着テープや接着剤を用いずに敷居レール１０を敷居溝２に取り付けることができるため、敷居レール１０を取り付ける際の施工性を向上できる。また、敷居溝２に取り付けられた敷居レール１０を容易に交換することもでき、メンテナンス性を向上できる。
また、凹溝形状の一般的な敷居溝２に敷居レール１０を取り付けることができ、既設の敷居溝２にも敷居レール１０を容易に取り付けることができる。
【００１７】
第１側面部２３、第２側面部２４は、外側面から突出する第１突起部２７、第２突起部２８を備えるため、第１ヒレ部３０、第２ヒレ部４０の第１延出部３２、第２延出部４２は、第１突起部２７、第２突起部２８によって大きく圧縮される部分と、外側面によって小さく圧縮される部分（ｔ１≧ｔ２の場合）もしくは圧縮されていない部分（ｔ１＜ｔ２の場合）とを備えるため、第１ヒレ部３０、第２ヒレ部４０を確実に圧縮しながら、敷居レール１０を敷居溝２内に容易に挿入することができる。
また、第１ヒレ部３０、第２ヒレ部４０の第１延出部３２、第２延出部４２を圧縮させることで敷居溝２内に敷居レール１０を取り付けるため、敷居溝２の溝幅や深さ等の寸法や形状、敷居レール１０の幅寸法、厚さ寸法や形状のバラツキを吸収可能な取付構造を実現できる。したがって、敷居溝２や敷居レール１０の寸法精度の管理が容易となり、不具合発生率を低下できる。
さらに、敷居溝２や敷居レール１０の寸法や形状のある程度のバラツキを吸収できるため、各部材や部品の製造時の歩留まりを向上できる。特に、敷居レールの底面から矢尻形の突出部を突設し、敷居溝２の底面に前記突出部が嵌め込まれる溝を形成して敷居レールを取り付ける場合のように、軟質樹脂製のヒレ部を設けずに、敷居溝に敷居レールを嵌め込んで取り付ける場合は、敷居レールおよび敷居溝の寸法精度や形状精度を高める必要がある。これに対し、本実施形態では、軟質樹脂製の第１ヒレ部３０、第２ヒレ部４０の第１延出部３２、第２延出部４２を圧縮させるため、寸法や形状がある程度ばらついても敷居レール１０を敷居溝２に取り付けることができる。
【００１８】
敷居レール１０は、第１フランジ部２５、第２フランジ部２６を備えるため、敷居溝２の第１側面４および第２側面５と、第１側面部２３および第２側面部２４との隙間部分を隠すことができる。このため、第１ヒレ部３０、第２ヒレ部４０が外部に露出することも防止でき、敷居レール１０の外観を向上できる。
【００１９】
［第２実施形態］
次に、第２実施形態の敷居レール１０Ａについて、図４を参照に説明する。
敷居レール１０Ａは、レール部２０Ａに形成された第１突起部２７Ａ、第２突起部２８Ａの断面形状が第１実施形態と相違し、その他の構成は第１実施形態の敷居レール１０と同一であるため、同一符号を付して説明を省略する。
【００２０】
第１突起部２７Ａは、第１側面部２３の外側面に対して斜め上方に傾斜された第１傾斜面２７１と、第１傾斜面２７１の上端縁と第１側面部２３の外側面とを連結する第１連結面２７２とを備える。
第２突起部２８Ａは、第２側面部２４の外側面に対して斜め上方に傾斜された第２傾斜面２８１と、第２傾斜面２８１の上端縁と第２側面部２４の外側面とを連結する第２連結面２８２とを備える。
すなわち、第１傾斜面２７１、第２傾斜面２８１は、第１突起部２７Ａ、第２突起部２８Ａの下面側の面であり、第１連結面２７２、第２連結面２８２は、第１突起部２７Ａ、第２突起部２８Ａの上面側の面である。
ここで、第１傾斜面２７１、第２傾斜面２８１は、第１側面部２３、第２側面部２４の外側面に対して鋭角の角度、例えば３０度の角度で設けられている。また、第２傾斜面２８１、第２連結面２８２は、前記外側面に対して直角または鈍角の角度で設けられている。
【００２１】
このような第２実施形態によれば、第１実施形態と同じ作用効果を奏することができる。また、第１突起部２７Ａ、第２突起部２８Ａの第１傾斜面２７１、第２傾斜面２８１は、第１側面部２３、第２側面部２４の外側面に対して鋭角の角度で設けられているので、敷居レール１０Ａを敷居溝２に挿入し易くできる。
さらに、第１突起部２７Ａ、第２突起部２８Ａの第１連結面２７２、第２連結面２８２は、外側面に対して直角または鈍角の角度で設けられているので、第１突起部２７Ａ、第２突起部２８Ａの上側に充填される第１延出部３２、第２延出部４２によって、第１突起部２７Ａ、第２突起部２８Ａの上方への移動が規制され、敷居レール１０Ａの浮き上がりをより確実に防止できる。
【００２２】
本発明は、以上の実施形態で説明した構成のものに限定されず、本発明の目的を達成できる範囲での変形例は本発明に含まれる。
例えば、前記各実施形態の敷居レール１０、１０Ａでは、第１ヒレ部３０、第２ヒレ部４０、スペーサ５０は互いに独立して設けられていたが、図５に示す第１変形例の敷居レール１０Ｂのように、一体で構成してもよい。すなわち、敷居レール１０Ｂの第１ヒレ部３０Ｂ、第２ヒレ部４０Ｂ、スペーサ部５０Ｂは、底面部２１の下面に沿ってつながっており、一体の軟質樹脂材で構成されている。
敷居レール１０Ｂによれば、幅方向両側の第１ヒレ部３０Ｂおよび第２ヒレ部４０Ｂがスペーサ部５０Ｂを介して連結されているので、底面部２１の下面全面にスペーサ部５０Ｂを設けることができ、敷居レール１０Ｂと敷居溝２の底面３との密着性を向上できる。
【００２３】
図６に示す第２変形例の敷居レール１０Ｃのように、レール部２０Ｃは、第２突起部２８を備えない第２側面部２４Ｃを備える構成としてもよい。このような敷居レール１０Ｃにおいても、第１側面部２３に第１突起部２７が設けられているため、第２側面部２４Ｃに突起部が設けられていない場合でも、敷居レール１０Ｃの浮き上がりを防止できる。
【００２４】
図７に示す第３変形例の敷居レール１０Ｄのように、第１ヒレ部３０のみを有し、第２ヒレ部４０を備えないものでもよい。すなわち、敷居レール１０Ｄでは、底面部２１の第２端部２１Ｂには第２ヒレ部４０を設けずに、スペーサ５０Ｄを設けている。
このような敷居レール１０Ｄにおいても、第１側面部２３に第１突起部２７が設けられているため、第２ヒレ部４０が設けられていなくても、敷居レール１０Ｄの浮き上がりを防止できる。
【００２５】
図８に示す第４変形例の敷居レール１０Ｅのように、レール部２０Ｅは、第１フランジ部２５、第２フランジ部２６を備えないものでもよい。この場合、敷居溝２の深さが敷居レール１０Ｅの高さ寸法よりも大きい場合でも、敷居レール１０Ｅを配置することができる。
【００２６】
前記各実施形態では、図面において、敷居レール１０、１０Ａ、１０Ｃ、１０Ｄの右側に第１側面部２３、第１突起部２７、第１ヒレ部３０を設け、左側に第２側面部２４、第２突起部２８、第２ヒレ部４０を設けていたが、左側に第１側面部２３等を設け、右側に第２側面部２４等を設けてもよい。また、引戸６が和室等の部屋と、廊下などを区画する場合、第１側面部２３は部屋側でも廊下側でもよく、特に限定されるものではない。
また、第１突起部２７、第２突起部２８の形状は、前記第１、２実施形態に限定されず、断面矩形等の他の形状でもよい。さらに、第１突起部２７と第２突起部２８の形状が互いに相違するものでもよい。また、第１突起部２７、第２突起部２８の本数も２本に限らず、１本でも３本以上でもよい。さらに、第１突起部２７、第２突起部２８が２本以上設けられた場合、下側の突起部と、上側の突起部とで断面形状が異なるものでもよい。また、第１突起部２７、第２突起部２８は、レール部２０の長手方向に連続するものに限定されず、長手方向の複数箇所に独立して形成されるものでもよい。
【００２７】
また、敷居レール１０、１０Ａ、１０Ｂ、１０Ｃ、１０Ｄ、１０Ｅのレール部２０、２０Ａ、２０Ｃ、２０Ｅにおいて、引戸や襖を案内する溝形状は、底面部２１の上面が平滑な形状のものに限らない。例えば、引戸６に戸車が設けられている場合には、戸車を案内するレールを有する断面形状とすればよい。
【００２８】
［発明のまとめ］
本発明は、敷居溝に取り付けられる敷居レールであって、レール部と、軟質樹脂製の第１ヒレ部とを備え、前記レール部は、前記敷居溝の底面に沿って配置される底面部と、前記底面部の幅方向の一方の端部である第１端部から上側に突設された第１側面部と、前記底面部の幅方向の他方の端部である第２端部から上側に突設された第２側面部とを備え、前記第１側面部の外側面には第１突起部が形成され、前記第１ヒレ部は、前記底面部の前記第１端部に固定される第１固定部と、前記第１固定部から延出され、前記第１突起部と、前記敷居溝の側面とで挟み込まれる第１延出部とを備えることを特徴とする。
本発明によれば、敷居レールは、底面部、第１側面部、第２側面部を備えるレール部と、軟質樹脂製の第１ヒレ部とを備えて構成し、前記第１側面部の外側面に第１突起部を形成し、第１突起部と、敷居溝の側面とで前記第１ヒレ部の第１延出部を挟み込んでいるため、第１ヒレ部の第１延出部に前記第１突起部が食い込み、敷居レールの移動や浮き上がりを防止できる。このため、両面粘着テープや接着剤を用いて敷居レールを固定する必要が無くなり、両面粘着テープや接着剤による音鳴りの発生も防止できる。
【００２９】
本発明の敷居レールにおいて、軟質樹脂製の第２ヒレ部を備え、前記第２側面部の外側面には第２突起部が形成され、前記第２ヒレ部は、前記底面部の前記第２端部に固定される第２固定部と、前記第２固定部から延出され、前記第２突起部と、前記敷居溝の側面とで挟み込まれる第２延出部とを備えることが好ましい。
本発明によれば、前記第２側面部の外側面に第２突起部を形成し、第２突起部と、敷居溝の側面とで前記第２ヒレ部の第２延出部を挟み込んでいるため、第２ヒレ部の第２延出部に前記第２突起部が食い込み、レール部の第２端部側でも敷居レールの移動や浮き上がりを防止できる。このため、敷居レールの幅方向の両側で移動や浮き上がりをより一層確実に防止できる。
【００３０】
本発明の敷居レールにおいて、前記第１突起部は、前記第１側面部の外側面に対して斜め上方に傾斜された第１傾斜面と、前記第１傾斜面の上端縁と前記第１側面部の外側面とを連結する第１連結面とを備え、前記第１傾斜面は前記外側面に対して鋭角の角度で設けられ、前記第１連結面は前記外側面に対して直角または鈍角の角度で設けられていることが好ましい。
本発明によれば、第１突起部の第１傾斜面は、第１側面部の外側面に対して鋭角の角度で設けられているので、敷居レールを敷居溝に容易に挿入することができる。
また、第１突起部の第１連結面は、外側面に対して直角または鈍角の角度で設けられているので、第１突起部は、第１突起部の上側に充填される第１ヒレ部の第１延出部によって移動が規制され、敷居レールの浮き上がりをより確実に防止できる。
なお、前記第２突起部は、前記第２側面部の外側面に対して斜め上方に傾斜された第２傾斜面と、前記第２傾斜面の上端縁と前記第２側面部の外側面とを連結する第２連結面とを備え、前記第２傾斜面は前記外側面に対して鋭角の角度で設けられ、前記第２連結面は前記外側面に対して直角または鈍角の角度で設けられていることが好ましい。
第２突起部も第１突起部と同様に構成することで、敷居レールを敷居溝に一層容易に挿入でき、かつ、敷居レールの浮き上がりをより一層確実に防止できる。
【００３１】
本発明の敷居レールにおいて、前記レール部は、前記第１側面部の上端部から外方に突設された第１フランジ部と、前記第２側面部の上端部から外方に突設された第２フランジ部と、を備えることが好ましい。
本発明によれば、敷居溝の第１側面および第２側面と、第１側面部および第２側面部との隙間部分を隠すことができ、第１ヒレ部や第２ヒレ部が外部に露出することを防止できて敷居レールの外観を向上できる。
【符号の説明】
【００３２】
１…敷居、２…敷居溝、３…底面、４…第１側面、５…第２側面、６…引戸、１０、１０Ａ、１０Ｂ、１０Ｃ、１０Ｄ、１０Ｅ…敷居レール、２０…レール部、２１…底面部、２１Ａ…第１端部、２１Ｂ…第２端部、２３…第１側面部、２４、２４Ｃ…第２側面部、２５…第１フランジ部、２６…第２フランジ部、２７、２７Ａ…第１突起部、２８、２８Ａ…第２突起部、３０、３０Ｂ…第１ヒレ部、３１…第１固定部、３２…第１延出部、４０、４０Ｂ…第２ヒレ部、４１…第２固定部、４２…第２延出部、５０、５０Ｄ…スペーサ、５０Ｂ…スペーサ部、２７１…第１傾斜面、２７２…第１連結面、２８１…第２傾斜面、２８２…第２連結面。
【図１】
2020180514.tif 000003
【図２】
2020180514.tif 000004
【図３】
2020180514.tif 000005
【図４】
2020180514.tif 000006
【図５】
2020180514.tif 000007
【図６】
2020180514.tif 000008
【図７】
2020180514.tif 000009
【図８】
2020180514.tif 000010